(57)【要約】本発明は、電子源及び電子ビーム案内キャビティを有する陰極線管を具える表示装置に関し、電子ビーム案内キャビティは、入射孔及び出射孔を有し、陰極から放出された電子ビームの電子を集束する。さらに、陰極線管は、第１電源に接続可能な第１電極を具え、第１電源は、動作中、陰極と出射窓との間に強度Ｅ１の電界を発生する。（１及びＥ１は、電子ビームが案内キャビティに移動できるようにする値を有する。さらに、陰極と出射孔との間に配置した調整手段は、表示手段に到達するビーム流を調整する。本発明によれば、ブランキング期間に電子ビームが出射孔を通過するのを防止するとともに表示期間中に電子ビームが出射孔を通過する切替手段を、表示装置に設ける。
2004514253.tif 000002
【特許請求の範囲】
【請求項１】
陰極線管を具える表示装置であって、この陰極線管が、
電子放出用の陰極を有する電子源と、
入射孔及び出射孔を有し、前記陰極から放出した電子ビーム中の電子を集束する電子ビーム案内キャビティと、
前記出射孔の周辺に配置され、第１電源に接続可能にして、作動中、前記電子ビーム案内キャビティの出射孔を通じて表示スクリーンに電子を移動できるようにした第１電極と、
前記陰極と前記出射孔との間に配置され、作動中、前記表示スクリーンに到達する電子ビームを調整する調整手段とを具える表示装置において、
前記表示装置が、ブランキング期間中に前記電子ビームが前記出射孔を通過するのを防止するとともに表示期間中に前記スクリーンに前記電子ビームが到達するようにした切替手段を具えることを特徴とする表示装置。
【請求項２】
前記切替手段が、前記陰極線管の第１電極と変調手段との間に配置された第３電極を具え、その第３電極を第３電源に接続可能にし、前記切替手段が、前記第１電源及び第３電源を有することを特徴とする請求項１記載の表示装置。
【請求項３】
前記切替手段が、前記第１電極と前記変調手段との間に配置された第３及び第４電極を具え、前記第３電極を第３電源に接続可能にするとともに前記第４電源を第４電源に接続可能にし、前記切替手段が、前記第３及び第４電源を有することを特徴とする請求項１記載の表示装置。
【請求項４】
作動中、前記調整手段が、第２電源に接続可能な第２電極を具えることを特徴とする請求項１記載の表示装置。
【請求項５】
作動中、前記第２電源の電圧を調整する手段が、前記陰極線管のビーム流特性に対して調整される電圧のダイオード特性を取得する第１範囲の値を有することを特徴とする請求項４記載の表示装置。
【請求項６】
作動中、前記第２電極は、前記表示スクリーンに対するビーム流を表す電流を測定する第１電流測定手段に接続されることを特徴とする請求項５記載の表示装置。
【請求項７】
作動中、前記第２電源の電圧を調整する手段が、前記陰極線管のビーム流特性に対して調整される電圧のトリオード特性を取得する第２範囲の値を有することを特徴とする請求項４記載の表示装置。
【請求項８】
前記陰極を、前記陰極線管のビーム流を測定する第２電流測定手段に接続したことを特徴とする請求項７記載の表示装置。
【請求項９】
前記電子ビーム案内キャビティの出射孔が漏斗形状を有することを特徴とする請求項１記載の表示装置。
【請求項１０】
請求項１から９のうちのいずれか１項に記載の表示装置に用いられる陰極線管。
【請求項１１】
請求項１に記載された表示装置を具える表示システム。
【請求項１２】
前記表示システムが、前記ビーム流を測定する手段を具えることを特徴とする請求項１１記載の表示システム。
【請求項１３】
前記ビーム流を測定する手段が、前記ビーム流を安定にする安定手段と、前記ビーム流の強度に応じた幾何学的な補償を行う補償手段と、前記ビーム流を制限する制限手段とに接続されたことを特徴とする請求項１１記載の表示システム。
【発明の詳細な説明】
【０００１】
技術の分野
本発明は、請求項１の前段で規定した表示装置に関する。
また、本発明は、表示装置での使用に適した陰極線管に関する。
そのような表示装置は、特にテレビジョンディスプレイ、コンピュータモニタ及び投影テレビジョンで使用される。
【０００２】
背景技術
冒頭で説明した種類の表示装置は、米国特許番号第５，２７０，６１１号から既知である。米国特許番号第５，２７０，６１１号は、陰極線管を具える表示装置を記載しており、この陰極線管には、陰極と、電子ビーム案内キャビティと、第１電源手段に接続可能であるとともに陰極と出射孔との間に強度Ｅ１の電界を加える第１電極とが設けられている。電子ビーム案内キャビティは壁部を具え、例えば、出射孔に近接する壁部の一部は、２次放出係数（ｓｅｃｏｎｄａｒｙ ｅｍｉｓｓｉｏｎ ｃｏｅｆｆｉｃｉｅｎｔ）δ１を有する絶縁材料を含む。さらに、２次放出係数δ１及び第１電界強度Ｅ１は、電子ビーム案内キャビティを通じて電子が移動できる値を有する。電子の移動は、電子ビーム案内キャビティの長手方向に十分強い電界が加えられると可能になる。この電界の値は、材料のタイプ並びにキャビティの壁部の幾何学的構造及びサイズに依存する。安定状態において、電子の移動は、２次放出過程を通じて行われ、その結果、キャビティの壁部に電子が当たる際に、平均して１個の電子が放出される。できるだけ多くの電子が電子ビーム案内キャビティの入射孔に入射するとともにその出射孔から出射する状況を選択することができる。出射孔を入射孔に比べて著しく小さくすると、電子源の光度を例えば１００〜１０００の因子に集束する電子コンプレッサ（ｅｌｅｃｔｒｏｎ ｃｏｍｐｒｅｓｓｏｒ）が形成される。このようにして高電流密度の電子源が形成される。加速グリッドは、主電子レンズに向かってキャビティを出る電子を加速する。主電子レンズは、キャビティの出射孔を表示スクリーン上に結像し、偏向ユニットを通じて、ラスタ画像が陰極線管の表示スクリーン上に形成される。
【０００３】
従来のテレビジョンシステムにおいて、カラーポイントの安定化、ブラック電流の安定化及びホワイトレベルの安定化を行うためにＲ，Ｇ，Ｂにそれぞれ対応する３本の電子ビームの特徴が既知であることが望ましい。したがって、ブランキング期間における測定線の発生中に予め設定された駆動レベルにおいて、規則的な間隔で電子ビーム流を測定する必要がある。このブランキング期間は、各フィールドの開始である。通常、画像は、ある程度のオーバースキャンを伴って表示され、その結果、画像の境界が表示スクリーンの可視領域から外れる。しかしながら、１６：９のアスペクト比の画像を４：３のアスペクト比の画像スクリーンに表示すると、測定線が目に見えるようになる。この結果、表示スクリーンに対する悩ましい影響が生じ、すなわち、そのような影響を回避するために垂直方向の偏向を適合化する必要がある。そのような悩ましい影響はコンピュータモニタにも出現し、この場合、画像は、陰極線管においてアンダースキャンを伴って表示される。
【０００４】
発明の開示
本発明の目的は、表示スクリーン上に目に見える影響なくビーム流を測定できる陰極線管を提供することである。この目的は、請求項１で規定された本発明による陰極線管によって達成される。本発明による陰極線管がブランキング期間中に動作すると、切替手段によって、陰極からの電流が連続し、それに対して、電子ビームは、偏向され、電子ビームキャビティの出射孔に到達することができない。したがって、例えば、陰極線管のビーム流特性に対して変動する電圧を、目に見えるアーティファクトなくブランキング期間中に測定することができ、それに対して、ビーム流は、表示期間中に連続する。
【０００５】
他の利点によれば、測定されたビーム流によって、著しい高電圧の電源のオーバーロードを保護するためのビーム流の制限や、著しい高電圧の電源の負荷の変動に対する画像の幾何学的な補償のような他の動作が可能となる。他の好適例を従属項に規定する。
【０００６】
本発明による表示装置の特定例を請求項２に規定する。本例において、電子ビームは、第１電極と第３電極との間に印加される電圧に応じて、第３電極と電子ビーム案内キャビティの出射孔との間で偏向される。
本発明による表示装置の他の例を請求項３に規定する。第４電極を追加することによって、表示スクリーンに対する電子ビーム案内キャビティの電子ビームの電子移動機構（ｅｌｅｃｔｒｏｎ ｔｒａｎｓｐｏｒｔ ｍｅｃｈａｎｉｓｍ）を、第３電極のみを具える場合に比べて迅速に始動することができる。その理由は、第３及び第４電極を具える場合には、ビーム流が出射孔を通過するのを防止する際に出射孔の付近の絶縁壁に負の電荷が蓄積されないからである。本例において、第１電極の移動電圧（ｔｒａｎｓｐｏｒｔ ｖｏｌｔａｇｅ）は一定レベルに維持される。
【０００７】
本発明による表示装置の他の例を請求項５に規定する。変動する電圧の第１の範囲によって、陰極線管のダイオード特性が、第２電極及び第３電極の大きさ及び形状の予め設定されたセット、陰極と第２電極との間の距離、並びに第２電極と第３電極との間の距離に対してそれぞれ取得される。本例の利点は、陰極の変動する電圧を０〜１０Ｖの範囲とすることができ、その結果、低電圧の電子技術を適用することができる点である。しかしながら、変動する電圧に対する陰極の電圧のγは、本例では約１．８に制限される。
【０００８】
本発明による表示装置の他の例を請求項７に規定する。変動する電圧のこのような第２の範囲に対して、陰極線管のダイオード特性が、第２電極及び第３電極の大きさ及び形状の予め設定されたセット、陰極と第２電極との間の距離、並びに第２電極と第３電極との間の距離に対してそれぞれ取得される。トリオード特性の利点は、変動する電圧に対する陰極の電流のγが従来の陰極線管のものと類似し、その結果、電子案内キャビティを有する陰極線管の従来の陰極線管に対する適合性が更に高まる点である。γは、例えば約２．４である。
【０００９】
本発明による表示装置の他の例を請求項９に規定する。漏斗形状の出射孔によて、出射孔に対して正接方向に小さい電気力を加えるだけで電子が飛び跳ねながら入射することができる。本例では、電子の平均エネルギーがほとんど増加せず、エネルギー分布の広がりもほとんど増加せず、表示スクリーンのスポットサイズを減少することができる。
【００１０】
発明を実施するための最良の形態
表示装置は陰極線管を具える。図１は既知の陰極線管の線形図である。この陰極線管は、引用された米国特許番号第５，２７０，６１１号からそれ自体既知である。陰極線管１００は、電子放出用の陰極１０５，１０６，１０７及び電子ビーム案内キャビティ１２０，１２１，１２２を有する電極構造１０１を具える。好適には、陰極線管は、加熱用フィラメント１０２，１０３，１０４を具える。さらに、陰極線管は、加速用グリッド１４０、通常の主レンズ１５０、通常の磁界偏向ユニット１６０及び通常のカラースクリーン１７０を具える。これらのパーツの全ては従来の陰極線管から既知である。本発明による陰極線管は、テレビジョン、投影テレビジョン及びコンピュータモニタに使用される。
【００１１】
図２は、本発明による陰極構造の第１例を示し、この陰極構造を、図１に示す陰極線管に使用することができる。陰極構造２００は、フレーム２０１と、加熱用フィラメント２０２，２０３，２０４と、加熱用フィラメントの各々に対応する陰極２０５，２０６，２０７とを具える。赤色信号、緑色信号及び青色信号によって表されたカラー画像を表示するよう陰極線管を使用するために、陰極を３個使用する。さらに、陰極構造２００は、各々が入射孔２０８，２０９，２１０、出射孔２２３，２２４，２２５及び第１電極２２６，２２７，２２８を有する電子ビーム案内キャビティ２２０，２２１，２２２を具える。入射窓２０８，２０９，２１０は、２．５×２．５ｍｍの大きさを有する方形を有する。電子ビーム案内キャビティの出射孔２２３，２２４，２２５の内側の少なくとも一部には、陰極２０５，２０６，２０７と共同する２次放出係数（ｓｅｃｏｎｄａｒｙ ｅｍｉｓｓｉｏｎ ｃｏｅｆｆｉｃｉｅｎｔ）δ＞１を有する絶縁材料を被覆する。この材料は、例えばＭｇＯを有する。ＭｇＯ層は、例えば０．５μｍの厚さを有する。使用できる他の材料は、例えばガラス又はカプトンポリアミド材料である。第１電極２２６，２２７，２２８を、電子ビーム案内キャビティ２２０，２２１，２２２の外側の出射孔２２３，２２４，２２５の周辺に配置する。第１電極は金属シートからなる。金属シートは、例えば２．５μｍの厚さを有し、例えばアルミニウムとクロムの組合せの金属蒸発によって設けられる。出射窓２２３，２２４，２２５は、例えば２０μｍの径の孔を有する。さらに、陰極２０５，２０６，２０７を加熱するためのフィラメント２０２，２０３，２０４を、（図示しない）第１電源手段Ｖ１に結合する。作動中、各フィラメント２０２，２０３，２０４は、対応する陰極２０５，２０６，２０７を加熱する。陰極は、通常の酸化陰極材料、例えば酸化バリウムを含む。作動中、第１電極２２６，２２７，２２８は、陰極２０５，２０６，２０７と出射孔２２３，２２４，２２５との間に電界を加える第２電源手段ＶＡに結合され、その電界強度はＥ１となる。第２電源手段の電圧は、例えば１００〜１５００Ｖの範囲となり、典型的には７００Ｖとなる。２次放出係数δ及び電界強度は、電子が電子ビーム案内キャビティを通過できるような値を有する。この種の電子の通過は、引用した米国特許番号第５，２７０，６１１号からそれ自体既知である。
【００１２】
好適には、第２調整手段、例えば第２電極２３０，２３１，２３２を入射孔２０８，２０９，２１０の前に配置する。第２電極２３０，２３１，２３２を（図示しない）第３電源手段ＶＥに結合し、作動中、電子の放出を制御するために陰極２０５，２０６，２０７と第２電極２３０，２３１，２３２との間に電界を加え、その電界強度をＥ２とする。好適には、第２電極２３０，２３１，２３２は、電子の６０％が通過するゲージを具える。ゲージを、金属例えばモリブデンで構成し、フレーム２０１に電気的に結合する。実際には、三つのゲージが電気的にフレーム２０１に結合される。陰極２０５，２０６，２０７とゲージ２３０，２３２，２３２との間の電圧差は、フレームに一定電圧を印加するとともにゲージに対する電圧を変化することによって決定される。作動中、ゲージ２３０，２３１，２３２と陰極２０５，２０６，２０７との間に印加される電圧差に起因するプリングフィールドは、陰極２０５，２０６，２０７から電子を引き出す。陰極２０５，２０６，２０７と対応するゲージ２３０，２３１，２３２との間の電圧差は、画像を表す各Ｒ，Ｇ，Ｂ信号に対応する。陰極線管の動作を更に説明するために、図１を参照する。電子ビームが電子ビーム案内キャビティ２２０，２２１，２２２の出射孔２２３，２２４，２２５を出た後、加速ゲージ１４０は、出射した電子を主レンズ１５０で加速する。主レンズ１５０及び偏向ユニット１６０を通じて、赤色信号、緑色信号及び青色信号に対応する３本の電子ビームは、赤色信号、緑色信号及び青色信号によって表された画像を構成するためにカラースクリーンに指導される。ここで、図２の陰極構造を参照する。ゲージ２３０，２３１，２３２と陰極２０５，２０６，２０７との間の距離が十分小さい、例えば２０〜４００μｍの範囲にあるとき、陰極２０５，２０６，２０７とゲージ２３０，２３１，２３２との間の比較的低い電圧差によって、電子ビーム案内キャビティ２２０，２２１，２２２の入射孔に向かう電子の放出を調整される。例えば、陰極２０５，２０６，２０７とゲージ２３０，２３１，２３２との間の距離が１００μｍであるとき、５Ｖの電圧変動（ｖｏｌｔａｇｅ ｓｗｉｎｇ）によって、電子ビーム案内キャビティ２２０，２２１，２２２に対する電子ビーム流を０〜３ｍＡの間で調整することができる。
【００１３】
通常のテレビジョン受像機において、電子ビーム流は、各電界の開始の測定線中で測定される。この測定中、ビーム流は、例えば、陰極上の変動する電圧の互いに相違する二つのレベルで測定される。通常のテレビジョン受像機において、この測定線は、１６：９のアスペクト比のテレビジョン画像を４：３のアスペクト比のＣＲＴのテレビジョンに表示する際に目に見える状態となる。この測定線は、コンピュータモニタにおいても目に見える状態となり、この場合、画像は、陰極線管のスクリーン上でアンダスキャンとともに表示される。陰極線のビーム流を測定するために、ブランキング期間中に電子ビームが出射孔を通過するのを防止する切替手段を電子ビーム案内キャビティに設ける。
【００１４】
図３は、動作回路と、ダイオードモードでの動作に対する電子ビーム案内キャビティ内に１個の電極を具える切替手段を有する陰極構造との一例を示す。この陰極構造は、図１及び図２を参照して説明したような陰極線管の３電極構造に適用される。陰極構造は、通常の陰極２０５と、第２電極２３０として機能する調整ゲージ２３０と、例えばＭｇＯの絶縁材料を含む壁部２４０を有する電子ビーム案内キャビティ２２０とを具える。出射孔２２３の周辺の壁部２４０は、１００μｍの厚さを有する。表示スクリーン上のスポットサイズを向上するために、出射孔２２３は、好適には漏斗形状を有する。テレビジョンアプリケーションに対する本例では、電子ビーム案内キャビティの外側の出射孔２２３は、２０μｍの径を有する。カラースクリーン１７０上に更に小さいスポットサイズを要求するモニタアプリケーションに対して、キャビティの外側の出射孔２２３は１０μｍの径を有する。１μｍの厚さのアルミニウムシート２２６を具える第１電極２２６を、電子ビーム案内キャビティの出射孔２２３の周りに設ける。アルミニウムの代わりに他の金属を用いることができる。低電圧駆動電子技術を用いるために、第２電極２３０又は陰極２０５の調整電圧は、０〜１０Ｖの第１範囲の値を有する。この第１範囲は、電子ビーム案内キャビティのビーム流特性に対する変動電圧にダイオード特性を課す。
【００１５】
本例において、切替手段は、第２電極２３０と第１電極２２６との間に配置した第３電極２４２を具え、この第３電極２４２は、第３電源手段Ｖ３０に接続される。さらに、第１電極２２６は切替自在の電源Ｖ１に接続される。第３電源Ｖ３は、約８００Ｖの第３電圧Ｖ３を第３電極２４２に供給する。
【００１６】
第１及び第３電極２２６，２３０は、ブランキング期間中に電子が出射孔を通過するのを防止する第１及び第２の値と、表示期間中に電子ビームが表示スクリーン１７０に到達する第３及び第４の値とを有する。表示期間中、切替自在の第１電源Ｖ１は１０００Ｖの電圧を有し、ブランキング期間中、第１電極２２６に供給される電圧は０Ｖとなり、その結果、ブランキング期間中、カラースクリーン１７０への電子ビーム流が止まる。切替自在の第１電源Ｖ１は、第１トランジスタ２４６、４個の抵抗２５２，２５４，２５６，２５８及びダイオード２６０を具える回路によって形成される。第１トランジスタ２４６のコレクタは、第１電極２２６に結合され、第１抵抗２５２を通じて電源Ｖｈの正極に結合され、かつ、第２抵抗２５４を通じて第１抵抗２４６のベースに結合される。信号Ｖｏｐは、第３抵抗２５６を通じてトランジスタ２４６のベースに供給され、信号Ｖｂｌａｎｋは第４抵抗２５８及びダイオード２６０の直列抵抗を通じて第１抵抗２４６のベースに供給される。第１トランジスタ２４６のエミッタは接地される。表示期間中、信号Ｖｂｌａｎｋが零になると、電圧Ｖｏｐは、電圧Ｖｈ、第１、第２及び第３抵抗２５２，２５４，２５６並びに第１トランジスタ２４６のベース−エミッタ間の電圧Ｖｂｅによって決定される。ブランキング期間中、信号Ｖｂｌａｎｋは、ハイ例えば５Ｖとなる。ここで、第１、第２及び第４抵抗２５２，２５４，２５８を、低電圧例えば５Ｖの電圧Ｖ１を設定するように設計して、電子ビーム案内キャビティの電子移動機構を停止する。その結果、電子ビームは、電子ビーム案内キャビティの出射孔２２３に到達しない。したがって、ブランキング期間中、妨害する測定線がカラースクリーン１７０上に見えなくなる。ブランキング期間中、陰極２０５と第２電極２３０との間の電圧差は、ビーム流特性に対する変動電圧の１個以上の点を測定するよう互いに相違するレベルに設定される。この手順は、３原色Ｒ，Ｇ，Ｂの互いに相違するものに関連した陰極及び電子ビーム案内キャビティに対して繰り返される。
【００１７】
ダイオードモードにおいて、第２電極２３０を流れる電流は、例えばオペアンプ２４８及び第５抵抗２５０を具える第１測定手段によって測定される。第２電極２３０は、オペアンプ２４８の負入力部に接続される。正入力部は接地され、第５抵抗２５０は、負入力部とオペアンプ２４８の出力部との間に接続される。作動中、オペアンプ２４８は、電流−電圧コンバータの役割を果たし、第２電極２３０を流れる電流Ｉｇ２を制御電圧Ｖｃｎｔｌに変換する。Ｖｃｎｔｌはビーム流に対応する。その理由は、Ｉｇ２がビーム流に比例するからである。測定手段が抵抗を具えることもできる。抵抗は、ビーム流に比例する電流を測定するために第２電極と接地点との間に接続される（図示せず）。
【００１８】
表示期間のビーム流の開始を向上するために、切替手段は第３及び第４電極を具える。
図４は、動作回路と、ダイオードモードでの動作に対する電子ビーム案内キャビティ内に第３及び第４電極２４２，２４４を具える切替手段を有する陰極構造との一例を示す。この陰極構造は、第４電極２４４が第１及び第３電極２２６，２４２間に配置された点を除いて図３を参照して説明した陰極構造と同様である。第３電極２４２に、第１の径を有する第１孔を設ける。第４電極２４４に、第１孔の第１の径より大きい第２の径を有する第２孔を設ける。動作中、第１電極２２６は、例えば８００Ｖの電圧Ｖ１０を有する第１電源に接続される。第３電極２４２は、４００Ｖの電圧Ｖ３０を有する第３電源Ｖ３０に接続される。第４電極２４４は、切替自在の第４電源Ｖ４０に接続される。切替自在の第４電源Ｖ４０は、表示期間中に第４電極２４４に３００Ｖの電圧を供給し、帰線消去帰還中に第４電極２４４に１０００Ｖの電圧を供給する。ブランキング期間中、第４電極は電子を排出し、電子は、電子ビーム案内キャビティの出射孔２２３に到達しない。切替自在の第４電源は、表示期間中に３００Ｖの電圧を第４電極に供給するとともにブランキング期間中に０Ｖの電圧を発生することもできる。後者の場合、第３電極２４２は電子を排出し、電子は、電子ビーム案内キャビティの出射孔２２３に到達しない。切替自在の第４電源Ｖ４０は、第１トランジスタ２４６、４個の抵抗２５２，２５４，２５６，２５８及びダイオード２６０を具える回路によって形成される。切替自在の第４電源Ｖ４０の動作は、図３を参照して説明した切替自在の第１電源Ｖ１と同様である。第２電極２３０を流れる電流は第１測定手段によって測定され、第１測定手段は、例えば、図３を参照して説明したようなオペアンプ２４８及び第５抵抗２５０を具える。第１及び第４電極２２６及び２４４の電圧Ｖ１０及びＶ４０は、表示期間中には電子ビームが電子ビームキャビティを通じて出射孔２２３に移動するように設定され、ブランキング期間中には電子ビームが出射孔２２３に到達しないように設定される。陰極２０５と第２電極２３０との間の電圧差が１０〜３０Ｖの範囲の値を有すると、変動する電圧ビーム電流のトリオード特性が、電子ビーム案内キャビティの変動する電圧ビーム電流特性に課される。この範囲において、変動する電圧ビーム電流特性は、通常の陰極線管の特性に類似する。この陰極構造を具える陰極線のγは約２．４である。これによって、従来の陰極線管に比べて適合性が良好となる。さらに、トリオードモードの第２電極２３０から電流が流れないので、電流測定手段を陰極回路に含めることができる。
【００１９】
図５は、動作回路と、トリオードモードでの動作に対する電子ビーム案内キャビティ内に第３電極２４２を具える切替手段を有する陰極構造との一例を示す。基本的に、この回路は、図３を参照して説明したものと同様である。第２測定手段は、電流源Ｉ１、増幅素子例えば第２トランジスタ２６６及び第６抵抗２６４によって形成される。陰極２０５は、第２トランジスタ２６６のエミッタ及び電流源Ｉ１のノードに接続される。第２トランジスタ２６６のエミッタは、キャパシタ２６０を通じてビデオ増幅器の出力部に結合される。第２トランジスタ２６６のコレクタは、第６抵抗を通じて接地される。第２トランジスタ２６６のコレクタの電圧Ｖｃｎｔｌはビーム電流を表す。さらに、第１電極２２６は、切替自在の第１電源Ｖ１に接続され、第３電極２４２は、第１及び第２電極２２６，２３０の間に配置される。第３電極２４２は、約８００Ｖの第３電圧を有する第３電源Ｖ３に接続される。切替自在の第１電源Ｖ１は、図３を参照して説明したものと同一タイプである。切替自在の第１電源Ｖ１は、表示期間で動作する際に１０００Ｖの電圧を有し、ブランキング期間において０Ｖの電圧を有し、その結果、表示スクリーンへの電子ビームが止められる。
【００２０】
図６は、動作回路と、トリオードモードでの動作に対する電子ビーム案内キャビティ２２０内に第３及び第４電極２４２，２４４を具える切替手段を有する陰極構造との一例を示す。基本的に、構造は、図４を参照して説明したものと同様である。本例の利点は、表示期間における電子ビームの開始が向上して行われることである。本例において、第２電流制御手段は陰極接続部に含まれる。第１電極２２６は、例えば８００Ｖの電圧Ｖ１を有する電源Ｖ１０に接続される。陰極２０５と第２電極２３０との間で変動する電圧は、１０〜３０Ｖの範囲内にある。第３電極２４２は、４００Ｖの電圧を有する第３電源Ｖ３０に接続される。第４電極２４４は、切替自在の第４電源Ｖ４０に接続され、この第４電源Ｖ４０は、表示期間において３００Ｖの電圧を第４電極２４４に供給し、ブランキング期間において１０００Ｖの電圧を発生する。このブランキング期間中、第４電極２４４は電子を排出し、電子は、電子ビーム案内キャビティの出射孔２２３に到達しない。切替自在の第４電源Ｖ４０は、表示期間において３００Ｖの電圧を第４電極２４４に供給するとともに、ブランキング期間において０Ｖの電圧を発生してもよい。ブランキング期間中、第４電極２４４は電子を排出し、電子は、電子ビーム案内キャビティの出射孔２２３に到達しない。第２電流測定手段は、図５を参照して説明したものと同一タイプである。
【００２１】
図７は、電子ビーム案内キャビティ陰極構造を有するカラー陰極線管を具える表示システム７００を示す。表示システム７００は、ビーム流を安定にするビデオ処理回路７０１を具える。ビーム流の安定化は、ブラック電流安定回路と、カラーポイント（ｃｏｌｏｒ ｐｏｉｎｔ）安定回路と、ホワイトレベル安定回路とを具える。これらの回路は当業者に周知である。さらに、表示システム７００は、幾何学的な補償回路７０３及び／又はビーム流制限回路７０４を具える。幾何学的な補償回路７０３は、ビーム流による可変の負荷に起因する著しく高い電源ＣＲＴの電圧変化に応じてビームの偏向を調整する。ビーム流制限回路７０４は、予め設定された期間中の平均のビーム流が所定のレベルより高い場合にはビーム流を減少する。ビーム流制限回路７０４をビデオ処理回路７０１に設けてもよい。さらに、表示システム７００は、ビーム流信号Ｖｃｎｔｌを発生するために図３，４，５又は６を参照して説明したようなビーム流測定及び制御回路７０２を具える。動作中、ビデオ処理回路７０１は、測定されたビーム流に対応する制御電圧Ｖｃｎｔｌに応じて、ブラック電流安定化、カラーポイント安定化、ホワイトレベル安定化及びビーム流制限を行う。ビデオ処理回路７０１は、陰極線管１００の陰極２０５にビデオ信号を供給する。さらに、幾何学的な補償回路７０３は、ビーム流信号Ｖｃｎｔｌに応じて、表示スクリーン１７０を横切るビームの偏向を調整する。
【図面の簡単な説明】
【図１】陰極線管を具える表示装置の線形図である。
【図２】陰極線管に使用するための電子ビーム案内キャビティを有する陰極構造を示す。
【図３】動作回路と、ダイオード特性で動作するための電子ビーム案内キャビティ内に１個の電極を有する陰極構造とを示す。
【図４】動作回路と、ダイオード特性で動作するための電子ビーム案内キャビティ内に２個の電極を有する陰極構造とを示す。
【図５】動作回路と、トリオード特性で動作するための電子ビーム案内キャビティ内に１個の電極を有する陰極構造とを示す。
【図６】動作回路と、トリオード特性で動作するための電子ビーム案内キャビティ内に２個の電極を有する陰極構造とを示す。
【図７】電子ビーム案内キャビティ陰極構造を有するカラー陰極線管を具える表示システムを示す。
【国際公開パンフレット】
2004514253.tif 000003
2004514253.tif 000004
2004514253.tif 000005
2004514253.tif 000006
2004514253.tif 000007
2004514253.tif 000008
2004514253.tif 000009
2004514253.tif 000010
2004514253.tif 000011
2004514253.tif 000012
2004514253.tif 000013
2004514253.tif 000014
2004514253.tif 000015
2004514253.tif 000016
2004514253.tif 000017
2004514253.tif 000018
2004514253.tif 000019
2004514253.tif 000020
【国際公開パンフレット（コレクトバージョン）】
2004514253.tif 000021
2004514253.tif 000022
【国際調査報告】
2004514253.tif 000023
2004514253.tif 000024